(57)【特許請求の範囲】
【請求項１】
光源と、器具本体内に配設されセンサの出力に基づいて光源の点灯状態を制御する制御回路を有する制御ユニットとを備え、上記制御ユニットのケースには開口部が形成され、センサの形状に応じて取り替え可能な蓋が上記開口部に覆着されてなり、上記制御回路は、光源の制御に関する情報を設定する設定スイッチと、上記制御回路の構成部品が実装された回路基板とを有し、上記設定スイッチは、回路基板の端部に配設され、上記ケースには、凹所が形成されるとともに凹所の底面に上記設定スイッチの操作部が挿通される露出孔を形成してなることを特徴とする照明器具。
【請求項２】
上記センサは、上記ケースとは別に設けられるセンサと、上記ケース内に収納されるセンサとから選択され、上記蓋は、上記ケースとは別に設けられるセンサと制御回路とを接続する信号線が通線される通線部を有し上記開口部に覆着される第１の蓋と、上記ケース内に収納されるセンサの一部が内装されるガイド筒を有し上記開口部に覆着される第２の蓋とから選択されることを特徴とする請求項１記載の照明器具。
【請求項３】
上記第１の蓋の外面には、把手が突設されてなることを特徴とする請求項２記載の照明器具。
【請求項４】
上記通線部は、開口部の内縁に臨んで開放された通線溝からなり、上記第１の蓋は、開口部の内縁との間に上記信号線を保持する張力止めリブが上記通線溝の内周面から一体形成されてなることを特徴とする請求項２または請求項３記載の照明器具。
【請求項５】
上記第２の蓋は、ガイド筒内にガイド筒の内周面と上記センサとの間に位置するスペーサが着脱自在に設けられてなることを特徴とする請求項２記載の照明器具。
【請求項６】
光源と、器具本体内に配設されセンサの出力に基づいて光源の点灯状態を制御する制御回路を有する制御ユニットとを備え、上記センサは、制御ユニットのケースから導出された信号線に接続されてなり、上記制御回路は、光源の制御に関する情報を設定する設定スイッチと、上記制御回路の構成部品が実装された回路基板とを有し、上記設定スイッチは、回路基板の端部に配設され、上記ケースには、凹所が形成されるとともに凹所の底面に設定スイッチの操作部が挿通される露出孔を形成してなることを特徴とする照明器具。
【請求項７】
上記ケース内において上記信号線が接続された端子を備え、当該端子は上記開口部の近傍に配置されてなることを特徴とする請求項６記載の照明器具。
【請求項８】
上記センサは、検知エリア内の人体の存否に応じた出力が得られる人感センサであることを特徴とする請求項１ないし請求項７のいずれかに記載の照明器具。
【請求項９】
上記センサは、所望の検知範囲の明るさに応じた出力が得られる明るさセンサであることを特徴とする請求項１ないし請求項７のいずれかに記載の照明器具。
【発明の詳細な説明】
【０００１】
【発明の属する技術分野】
本発明は、センサの出力に応じて光源の点灯状態が制御される照明器具に関するものである。
【０００２】
【従来の技術】
従来より、照明に要するエネルギの省エネルギ化を目的として、熱線センサからなる人感センサにより人を検知すると照明負荷を点灯させ、人が不在になれば設定された点灯保持時間後に照明負荷を消灯させるようにした照明器具や、人感センサにより人を検知しないときには照明負荷を設定された一定レベル（調光下限値）の調光状態にしておき、人を検知すると照明負荷を１００％点灯させるようにした照明器具や、明るさセンサを用いて被照射面の照度を検出し、明るさセンサにより検出される照度が設定照度になるようにした照明器具などが提供されている。
【０００３】
この種の省エネルギ化を図った照明器具としては、例えば図１１および図１２に示す構成のものが提供されている。図１１および図１２に示す照明器具は、天井直付けの照明器具であって、下面が開口した直方体状の器具本体１を備え、器具本体１内に安定器（図示せず）などが配設され、安定器を覆うように断面Ｖ字状の反射板２が取着され、器具本体１の両端部に設けた各一対のソケット３，３間に２本の直管形蛍光ランプよりなるランプ４，４が保持されている。また、この照明器具は、器具本体１の全長を延ばして設けられたボックス５内に、図１３に示すように、人感センサ若しくは明るさセンサからなるセンサ３０を有するセンサユニット３０ａと、後述の制御回路にランプ４の制御に関する情報（例えば、点灯保持時間、設定照度、調光下限値など）を設定するための設定スイッチを有するスイッチユニット４０ａと、センサ３０および設定スイッチからの情報で安定器を制御する制御回路の構成部品などが収納された制御ユニット５０ａとの３つの個別ユニットを収納している。なお、この種の照明器具は、ランプ４を２本備えたものに限らず、例えば図１４に示すようにランプ４を１本備えたものもある。
【０００４】
しかしながら、上述の照明器具においては、センサ３０の検知エリアと照明器具による照射エリアとが一致しないので施工時に照明器具の取付位置や取付方向などのレイアウトを設計する必要があるという不具合や、器具本体１の全長を延ばしてボックス５を設ける必要があるので、ボックス５が設けられていない従来の照明器具に比べて全長が長く、当該従来の照明器具と取り替えることが難しいという不具合があった。
【０００５】
この種の不具合を解決するものとして、図１５に示すような制御ユニットを器具本体内に収納した照明器具が提供されている。図１５に示す制御ユニットは、制御回路の構成部品などが実装された第１の回路基板１５が収納されたケース１に、人感センサよりなるセンサ３０と点灯保持時間を設定する設定スイッチ４０とを一体に設けてある。
【０００６】
図１５に示す制御ユニットのケース１は、合成樹脂製であって前面開口したボディ１０と、合成樹脂製であってボディ１０の前面側に結合される後面開口したカバー２０とにより形成される。ここにおいて、カバー２０の短手方向の両側壁の後縁からは後方に向かって係合爪２１が突設され、係合爪２１がボディ１０の短手方向の両側面に形成してある係合凹部１１に係合することによりボディ１０とカバー２０とが結合される。
【０００７】
ボディ１０の長手方向の両端面の後部には、ケース１を器具本体内に設置するための取付片１２が長手方向に沿う方向に突設されている。この取付片１２には、固定具（例えば、かしめ鋲）が挿通される取付穴１２ａが形成されている。
【０００８】
制御ユニットは、ボディ１０に収納された上記第１の回路基板１５と、上記センサ３０が実装されカバー２０に収納される第２の回路基板（図示せず）とを備えている。ここにおいて、第１の回路基板１５と第２の回路基板とはケース１内において前後方向に沿って配置されている。ここにおいて、第１の回路基板１５と第２の回路基板とはリード線により接続され、上記センサ３０の一部はカバー２０の前面に設けられたガイド筒２２を通して前方へ突出している。
【０００９】
ボディ１０の長手方向の寸法は、カバー２０の長手方向の寸法よりも長く、第１の回路基板１５の長手方向の寸法はボディ１０の長手方向の両側壁間の距離に略等しくなっている。すなわち、ボディ１０および第１の回路基板１５の一端部は、カバー２０により覆われていない。ここに、第１の回路基板１５には、電源線を接続するための端子部１６と、安定器を接続するための端子部１７とがカバー２０により覆われていない部分に実装されている。
【００１０】
図１５に示した制御ユニットを器具本体内に配設することにより、器具全体の外形寸法をセンサを備えていない照明器具と同じにすることができるので、センサを備えていない照明器具と同様に施工することができ、センサを備えていない照明器具との取り替えも容易になり、さらに施工面への取付手段を含めた器具の形状に関する特有の設計が不要になる。
【００１１】
【発明が解決しようとする課題】
ところで、上述のようにセンサ３０としては人感センサや明るさセンサがあるので、図１５に示した制御ユニットでは、センサ３０の種類や形状ごとに個別のケース１を用意しておく必要があり、製造コストや部品の管理コストが高くなってしまうという不具合があった。
【００１２】
本発明は上記事由に鑑みて為されたものであり、その目的は、省エネルギ化を図れ且つ施工が容易で、しかも低コストが可能な照明器具を提供することにある。
【００１３】
【課題を解決するための手段】
請求項１の発明は、上記目的を達成するために、光源と、器具本体内に配設されセンサの出力に基づいて光源の点灯状態を制御する制御回路を有する制御ユニットとを備え、上記ケースには開口部が形成され、センサの形状に応じて取り替え可能な蓋が上記開口部に覆着されてなり、上記制御回路は、光源の制御に関する情報を設定する設定スイッチと、上記制御回路の構成部品が実装された回路基板とを有し、上記設定スイッチは、回路基板の端部に配設され、上記ケースには、凹所が形成されるとともに凹所の底面に上記設定スイッチの操作部が挿通される露出孔を形成してなることを特徴とするものであり、センサの出力に基づいて光源の点灯状態を制御する制御回路を有することにより、省エネルギ化を図ることができ、また、制御ユニットが器具本体内に配設されていることにより、器具本体の外形寸法を従来のセンサを備えていない器具本体と同じにすることができるので、センサを備えていない照明器具と同様に施工することができ、センサを備えていない既設の照明器具との取り替えも容易になり、さらに、器具本体に付設したボックス内にセンサを配設した場合に比べてセンサの検知エリアを照射エリアに合わせることができて、施工時に器具本体の取付方向の自由度が高くなり、しかも、センサの形状に応じて取り替え可能な蓋が上記開口部に覆着されていることにより、センサの形状や種類に応じて蓋を取り替えることによってセンサの形状や種類に関わらず共通のケースを使用可能となるので、ケースの共通化が図れ部品管理が容易になるとともにコストを低減できる。また、ケースからの設定スイッチの突出高さを低くすることができ、制御ユニットを器具本体内に配設して例えばセンサを露出させる開口窓を設けた反射板で覆うような場合に設定スイッチが反射板の取り付けの邪魔になるのを防ぐことができる。
【００１４】
請求項２の発明は、請求項１の発明において、上記センサは、上記ケースとは別に設けられるセンサと、上記ケース内に収納されるセンサとから選択され、上記蓋は、上記ケースとは別に設けられるセンサと制御回路とを接続する信号線が通線される通線部を有し上記開口部に覆着される第１の蓋と、上記ケース内に収納されるセンサの一部が内装されるガイド筒を有し上記開口部に覆着される第２の蓋とから選択されるので、ケースとは別に配置するセンサでは第１の蓋を選択し、ケース内に収納するセンサでは第２の蓋を選択することにより、ケースの共通化を図ることができる。
【００１５】
請求項３の発明は、請求項２の発明において、上記第１の蓋の外面には、把手が突設されているので、ケースへの第１の蓋の覆着作業が容易になる。
【００１６】
請求項４の発明は、請求項２または請求項３の発明において、上記通線部は、開口部の内縁に臨んで開放された通線溝からなり、上記第１の蓋は、開口部の内縁との間に上記信号線を保持する張力止めリブが上記通線溝の内周面から一体形成されているので、信号線のうちケース内に入っている部分に張力がかかるのを防ぐことができ、信号線の断線を防ぐことができる。
【００１７】
請求項５の発明は、請求項２の発明において、上記第２の蓋は、ガイド筒内にガイド筒の内周面と上記センサとの間に位置するスペーサが着脱自在に設けられているので、センサの形状に応じてスペーサを着脱することでガイド筒の内径よりも外径が小さく形状の異なるセンサの一部を内装することができる。
【００１８】
請求項６の発明は、光源と、器具本体内に配設されセンサの出力に基づいて光源の点灯状態を制御する制御回路を有する制御ユニットとを備え、上記センサは、制御ユニットのケースから導出された信号線に接続されてなり、上記制御回路は、光源の制御に関する情報を設定する設定スイッチと、上記制御回路の構成部品が実装された回路基板とを有し、上記設定スイッチは、回路基板の端部に配設され、上記ケースには、凹所が形成されるとともに凹所の底面に上記設定スイッチの操作部が挿通される露出孔を形成してなることを特徴とするものであり、センサの出力に基づいて光源の点灯状態を制御する制御回路を有することにより、省エネルギ化を図ることができ、また、制御ユニットが器具本体内に配設されていることにより、器具本体の外形寸法を従来のセンサを備えていない器具本体と同じにすることができるので、センサを備えていない照明器具と同様に施工することができ、センサを備えていない既設の照明器具との取り替えも容易になり、さらに、器具本体に付設したボックス内にセンサを配設した場合に比べてセンサの検知エリアを照射エリアに合わせることができて、施工時に器具本体の取付方向の自由度が高くなり、しかも、センサが制御ユニットのケースから導出された信号線に接続されていることにより、センサの形状や種類に関わらず共通のケースを使用可能となるので、ケースの共通化が図れ部品管理が容易になるとともにコストを低減できる。また、センサが制御ユニットのケースから導出された信号線に接続されていることにより、センサの配置位置の自由度が高くなる。さらに、ケースからの設定スイッチの突出高さを低くすることができ、制御ユニットを器具本体内に配設して例えばセンサを露出させる開口窓を設けた反射板で覆うような場合に設定スイッチが反射板の取り付けの邪魔になるのを防ぐことができる。
【００１９】
請求項７の発明は、請求項６の発明において、上記ケース内において上記信号線が接続された端子を備え、当該端子は上記開口部の近傍に配置されているので、ケース内における上記信号線の長さを短くすることができる。
【００２１】
請求項８の発明は、請求項１ないし請求項７の発明において、上記センサは、検知エリア内の人体の存否に応じた出力が得られる人感センサであることを特徴とする。
【００２２】
請求項９の発明は、請求項１ないし請求項７の発明において、上記センサは、所望の検知範囲の明るさに応じた出力が得られる明るさセンサであることを特徴とする。
【００２３】
【発明の実施の形態】
本実施形態の照明器具は、図１１および図１２に示した従来の照明器具と同様、天井直付けの照明器具であって、図１０に示すように、下面が開口した直方体状の器具本体１を備え、器具本体１内に安定器（図示せず）および後述の制御ユニットなどが配設され、安定器を覆うように断面Ｖ字状の反射板２が取着され、器具本体１の両端部に設けた各一対のソケット３，３間に２本の直管形蛍光ランプよりなるランプ４，４が保持されている。ここにおいて、反射板２には、制御ユニットに設けられた人感センサよりなるセンサ３０の一部を露出させる開口窓２ａが形成されている。なお、人感センサは、検知エリア内の人体の存否に応じた出力が得られるものである。
【００２４】
制御ユニットのケース１は、図１および図２に示すように、合成樹脂製であって前面開口したボディ１０と、合成樹脂製であってボディ１０の前面側に結合される後面開口したカバー２０とにより形成される。ここにおいて、カバー２０の短手方向の両側壁の後縁からは後方に向かって係止爪２１が突設され、係止爪２１がボディ１０の短手方向の両側面に形成してある係合凹部１１に係合することによりボディ１０とカバー２０とが結合される。
【００２５】
ケース１内には、センサ３０の出力に基づいて安定器を制御する制御回路の構成部品が実装された第１の回路基板１５と、センサ３０が実装された第２の回路基板１６とが前後方向に離間して収納されている。すなわち、第１の回路基板１５はボディ１０に収納され、第２の回路基板１６はカバー２０に収納される。第１の回路基板１５と第２の回路基板１６とは３本のリード線よりなる信号線８を介して接続されている。
【００２６】
カバー２０の前面には、センサ３０を露出可能な開口部２４が形成されている。この開口部２４にはセンサ３０の形状に応じて取り替え可能な蓋２７が開口部２４に覆着されている。蓋２７は、矩形板状であって中央部にセンサ３０の一部が内装される円筒状のガイド筒２２が設けられており、センサ３０の一部はガイド筒２２を通してケース１の前方へ突出している。また、蓋２７は、長手方向の両端部それぞれから後方に向かって結合脚２７ａが突設されており、カバー２０の前面側から結合脚２７ａを開口部２４に挿入して、結合脚２７ａの先端部をカバー２０の裏面における開口部２４の周部に係止することにより開口部２４に覆着されている。要するに、組立時において蓋２７はカバー２０に対して着脱自在となっている。なお、蓋２７の前面にガイド筒２２が突設されているので、反射板２の取り付け時、取り外し時などにセンサ３０に傷がつくのを防止できるとともにセンサ３０にストレスがかかるのを防止することができる。
【００２７】
第１の回路基板１５には、上記制御回路の構成部品の他に、センサ３０により人体が検出されてからランプ４の点灯を維持する時間（点灯保持時間）を設定する設定スイッチＳＷ１が実装されている。要するに、制御回路は、センサ３０により人体が検知されるとランプ４が点灯保持時間だけ点灯状態を維持するような出力が得られるように構成されており、人の動きを検出して出力を連続的に得るようにしてあり、センサ３０により人体から放射される熱線が検知されなくなると、点灯保持時間後にランプ４を消灯させるような出力が得られる。また、第１の回路基板１５には、センサ３０の入切を設定する設定スイッチＳＷ２も実装されている。
【００２８】
各設定スイッチＳＷ１，ＳＷ２の操作部１８，１９は、カバー２０の前面側に形成した凹所２３の底面に穿孔された露出孔２５，２６を通してカバー２０の前面側に露出する。したがって、ケース１からの設定スイッチＳＷ１，ＳＷ２の突出高さを低くすることができ、制御ユニットを器具本体１内に配設してセンサ３０を露出させる開口窓２ａを設けた反射板２で覆う場合に設定スイッチＳＷ１，ＳＷ２が反射板２の取り付けの邪魔になるのを防ぐことができる。
【００２９】
なお、図１および図２には図示していないが、図１５に示した従来構成と同様に、ボディ１０の長手方向の両端面の後部にはケース１を器具本体１内に設置するための取付片１２（図１５参照）が長手方向に沿う方向に突設され、ボディ１０の長手方向の寸法は、カバー２０の長手方向の寸法よりも長く、第１の回路基板１５の長手方向の寸法はボディ１０の長手方向の両側壁間の距離に略等しくなっており、第１の回路基板１５には、電源線を接続するための端子部１６（図１５参照）と、安定器を接続するための端子部１７（図１５参照）とがカバー２０により覆われていない部分に実装されている。
【００３０】
ところで、図１および図２に示した制御ユニットにおいては、図３に示すように、蓋２７に設けられたガイド筒２２の内径がセンサ３０の一部の外径と略一致しているが、蓋２７に設けられたガイド筒２２の内径に比べてセンサ３０の外径が小さいような場合には、図４および図５に示すように、ガイド筒２２内にガイド筒２２の内周面とセンサ３０との間に位置する円筒状のスペーサ２８を蓋２７に着脱自在に設ければよい。ここに、スペーサ２８の一端部には鍔部２８ａが設けられおり、スペーサ２８を蓋２７の裏面側からガイド筒２２内に挿入したときに鍔部２８ａの前面が蓋２７の裏面に当接することによりスペーサ２８の位置決めがなされる。なお、図５に示す制御ユニットは、センサ３０の大きさとスペーサ２８を有する点のみが図１に示した制御ユニットと相違し他の構成は全く同じなので、同様の構成要素には同一の符号を付して説明を省略する。
【００３１】
ところで、本実施形態の制御ユニットにおいては、蓋２７がセンサ３０の形状に応じて取り替え可能となっているので、図６に示すようにセンサ３０を制御ユニットのケース１と別に設けて、センサ３０と上記制御回路とを信号線８を介して接続することもできる。図６ないし図８に示す蓋２７は、ケース１とは別に設けられるセンサ３０と上記制御回路とを接続する信号線８が通線される通線部たる通線溝２７ｃを有し上記開口部２４を覆うものである。ここに、信号線８は、３本のリード線をまとめて絶縁被覆したものである。また、通線溝２７ｃは開口部２４の内縁に臨んで開放されており、蓋２７は、開口部２４の内縁との間に信号線８を保持する張力止めリブ２７ｄが通線溝２７ｃの内周面から一体形成されている。なお、張力止めリブ２７ｄは、図９に示すように、開口部２４の内縁との距離をＡ、信号線８の直径をＤとするとき、Ｄ＞Ａとなるように突出量を設定してあり、カバー２０と蓋２７とで信号線８を挟み込んでいる。
【００３２】
したがって、信号線８のうちケース１内に収納されている部分に張力が働いてストレスがかかるのを防ぐことができる。なお、図６に示す構成の制御ユニットにおいてはケース１内に上述の第２の回路基板１６を設ける必要はなく、第１の回路基板１５において開口部２４の近傍に位置する部位に、信号線８が接続される端子を配置してあるので、ケース１内における信号線８の長さを比較的短くすることができ、ノイズの発生を抑制することができる。
【００３３】
また、図６ないし図８に示した蓋２７の前面には把手２７ｂが突設されているので、ケース１への蓋２７の覆着作業が容易になる。ここに、図９に示すように、把手２７ｂの突出高さをＢ、信号線８を最小の屈曲径で曲げた場合のカバー２０の前面と信号線８との間の距離をＣとするとき、把手２７ｂの突出高さＢをＣよりも大きくすることにより、反射板２などにより信号線８が潰されるのを防ぐことができる。
【００３４】
ところで、上述した例では、センサ３０として人感センサを用いていたが、センサ３０として、所望の検知範囲の明るさに応じた出力が得られる明るさセンサを用い、制御回路がセンサ３０の出力に基づいて安定器を制御するようにしてもよく、この場合にも蓋２７を適宜取り替えることにより、ケース１として共通のものを使用することができる。なお、この場合には、設定スイッチＳＷ１，ＳＷ２として例えば、設定照度を設定するためのものと、調光下限値を設定するためのものを用いればよい。
【００３５】
しかして、本実施形態では、センサ３０の出力に基づいてランプ４の点灯状態を制御する制御回路を有することにより、省エネルギ化を図ることができ、また、制御ユニットが器具本体１内に配設されていることにより、器具本体１の外形寸法を従来のセンサを備えていない器具本体と同じにすることができるので、センサを備えていない照明器具と同様に施工することができ、センサを備えていない既設の照明器具との取り替えも容易になり、さらに、器具本体１に付設したボックス５内にセンサ３０を配設した場合に比べてセンサ３０の検知エリアを照射エリアに合わせることができて、施工時に器具本体１の取付方向の自由度が高くなり、しかも、センサ３０の形状に応じて取り替え可能な蓋２７が開口部２４を覆うように覆着されていることにより、センサ３０の形状や種類に応じて蓋２７を取り替えることによりセンサ３０の形状や種類に関わらず共通のケース１を使用可能となるので、ケース１の共通化が図れ部品管理が容易になるとともにコストを低減できる。なお、本実施形態においては、図１ないし図５に示した蓋２７が第２の蓋を構成し、図６ないし図９に示した蓋２７が第１の蓋を構成している。
【００３６】
さらに、図６ないし図８に示した蓋２７を用いることにより、センサ３０を制御ユニットのケース１から導出された信号線８に接続できるので、センサ３０の設置位置の自由度が高く、しかも、センサ３０の形状や種類に関わらず共通のケース１を使用できるから、ケース１の共通化が図れ部品管理が容易になるとともにコストを低減できる。
【００３７】
【発明の効果】
請求項１の発明は、光源と、器具本体内に配設されセンサの出力に基づいて光源の点灯状態を制御する制御回路を有する制御ユニットとを備え、上記ケースには開口部が形成され、センサの形状に応じて取り替え可能な蓋が上記開口部に覆着されてなり、上記制御回路は、光源の制御に関する情報を設定する設定スイッチと、上記制御回路の構成部品が実装された回路基板とを有し、上記設定スイッチは、回路基板の端部に配設され、上記ケースには、凹所が形成されるとともに凹所の底面に上記設定スイッチの操作部が挿通される露出孔を形成してなるものであり、センサの出力に基づいて光源の点灯状態を制御する制御回路を有することにより、省エネルギ化を図ることができ、また、制御ユニットが器具本体内に配設されていることにより、器具本体の外形寸法を従来のセンサを備えていない器具本体と同じにすることができるので、センサを備えていない照明器具と同様に施工することができ、センサを備えていない既設の照明器具との取り替えも容易になり、さらに、器具本体に付設したボックス内にセンサを配設した場合に比べてセンサの検知エリアを照射エリアに合わせることができて、施工時に器具本体の取付方向の自由度が高くなり、しかも、センサの形状に応じて取り替え可能な蓋が上記開口部に覆着されていることにより、センサの形状や種類に応じて蓋を取り替えることによってセンサの形状や種類に関わらず共通のケースを使用可能となるので、ケースの共通化が図れ部品管理が容易になるとともにコストを低減できるという効果がある。また、ケースからの設定スイッチの突出高さを低くすることができ、制御ユニットを器具本体内に配設して例えばセンサを露出させる開口窓を設けた反射板で覆うような場合に設定スイッチが反射板の取り付けの邪魔になるのを防ぐことができるという効果がある。
【００３８】
請求項２の発明は、請求項１の発明において、上記センサは、上記ケースとは別に設けられるセンサと、上記ケース内に収納されるセンサとから選択され、上記蓋は、上記ケースとは別に設けられるセンサと制御回路とを接続する信号線が通線される通線部を有し上記開口部に覆着される第１の蓋と、上記ケース内に収納されるセンサの一部が内装されるガイド筒を有し上記開口部に覆着される第２の蓋とから選択されるので、ケースとは別に配置するセンサでは第１の蓋を選択し、ケース内に収納するセンサでは第２の蓋を選択することにより、ケースの共通化を図ることができるという効果がある。
【００３９】
請求項３の発明は、請求項２の発明において、上記第１の蓋の外面には、把手が突設されているので、ケースへの第１の蓋の覆着作業が容易になるという効果がある。
【００４０】
請求項４の発明は、請求項２または請求項３の発明において、上記通線部は、開口部の内縁に臨んで開放された通線溝からなり、上記第１の蓋は、開口部の内縁との間に上記信号線を保持する張力止めリブが上記通線溝の内周面から一体形成されているので、信号線のうちケース内に入っている部分に張力がかかるのを防ぐことができ、信号線の断線を防ぐことができるという効果がある。
【００４１】
請求項５の発明は、請求項２の発明において、上記第２の蓋は、ガイド筒内にガイド筒の内周面と上記センサとの間に位置するスペーサが着脱自在に設けられているので、センサの形状に応じてスペーサを着脱することでガイド筒の内径よりも外径が小さく形状の異なるセンサの一部を内装することができるという効果がある。
【００４２】
請求項６の発明は、光源と、器具本体内に配設されセンサの出力に基づいて光源の点灯状態を制御する制御回路を有する制御ユニットとを備え、上記センサは、制御ユニットのケースから導出された信号線に接続されてなり、上記制御回路は、光源の制御に関する情報を設定する設定スイッチと、上記制御回路の構成部品が実装された回路基板とを有し、上記設定スイッチは、回路基板の端部に配設され、上記ケースには、凹所が形成されるとともに凹所の底面に上記設定スイッチの操作部が挿通される露出孔を形成してなるものであり、センサの出力に基づいて光源の点灯状態を制御する制御回路を有することにより、省エネルギ化を図ることができ、また、制御ユニットが器具本体内に配設されていることにより、器具本体の外形寸法を従来のセンサを備えていない器具本体と同じにすることができるので、センサを備えていない照明器具と同様に施工することができ、センサを備えていない既設の照明器具との取り替えも容易になり、さらに、器具本体に付設したボックス内にセンサを配設した場合に比べてセンサの検知エリアを照射エリアに合わせることができて、施工時に器具本体の取付方向の自由度が高くなり、しかも、センサが制御ユニットのケースから導出された信号線に接続されていることにより、センサの形状や種類に関わらず共通のケースを使用可能となるので、ケースの共通化が図れ部品管理が容易になるとともにコストを低減できるという効果がある。また、センサが制御ユニットのケースから導出された信号線に接続されていることにより、センサの配置位置の自由度が高くなるという効果がある。さらに、ケースからの設定スイッチの突出高さを低くすることができ、制御ユニットを器具本体内に配設して例えばセンサを露出させる開口窓を設けた反射板で覆うような場合に設定スイッチが反射板の取り付けの邪魔になるのを防ぐことができるという効果がある。
【００４３】
請求項７の発明は、請求項６の発明において、上記ケース内において上記信号線が接続された端子を備え、当該端子は上記開口部の近傍に配置されているので、ケース内における上記信号線の長さを短くすることができるという効果がある。
【図面の簡単な説明】
【図１】実施形態を示し、制御ユニットの概略斜視図である。
【図２】同上の制御ユニットの分解斜視図である。
【図３】同上の制御ユニットの要部分解斜視図である。
【図４】同上の制御ユニットの他の構成例の要部分解斜視図である。
【図５】同上の制御ユニットの他の構成例の概略斜視図である。
【図６】同上の制御ユニットの別の構成例の概略斜視図である。
【図７】同上の制御ユニットの別の構成例に用いる蓋の斜視図である。
【図８】同上の制御ユニットの別の構成例に用いる蓋の断面図である。
【図９】同上の制御ユニットの別の構成例の要部断面図である。
【図１０】本実施形態の照明器具の斜視図である。
【図１１】従来例の照明器具の斜視図である。
【図１２】同上の下面図である。
【図１３】同上の要部構成図である。
【図１４】他の従来例を示す照明器具の下面図である。
【図１５】他の従来例に用いる制御ユニットを示し、（ａ）は平面図、（ｂ）は正面図、（ｃ）は側面図である。
【符号の説明】
１  ケース
１０  ボディ
２０  カバー
２４  開口部
２７  蓋
３０  センサ
【図１】
0004038960.tif 000002
【図２】
0004038960.tif 000003
【図３】
0004038960.tif 000004
【図４】
0004038960.tif 000005
【図５】
0004038960.tif 000006
【図６】
0004038960.tif 000007
【図７】
0004038960.tif 000008
【図８】
0004038960.tif 000009
【図９】
0004038960.tif 000010
【図１０】
0004038960.tif 000011
【図１１】
0004038960.tif 000012
【図１２】
0004038960.tif 000013
【図１３】
0004038960.tif 000014
【図１４】
0004038960.tif 000015
【図１５】
0004038960.tif 000016